(57)【特許請求の範囲】
【請求項１】
弾性ストッキング型又は弾性タイツ型の圧縮性補装具であって、該圧縮性補装具は、足部又は踵部が設けられていない圧縮性ニットの脚部（１４）を具備し、
該脚部の底端部が、踝（１８）を押圧するようにされた弾性カフ（１６）を含み、該弾性カフの皮膚に面している面に滑り止め被覆（２２；２４；２６；２８）が設けられていることを特徴とする圧縮性補装具。
【発明の詳細な説明】
本発明は、「弾性ストッキング」又は「弾性タイツ」として一般的には知られている、一方又は両方の下肢用の圧縮性補装具の分野に関する。
用語「ストッキング」及び「タイツ」が、以下で使用されているが、本発明は、特定の物品に限定されるものではなく、タイツ（即ち、両方の下肢と腰までの腹を覆う単一の衣料品）の形態であれ、片脚タイツ（一方の下肢のみの圧縮支持のための１つの脚部のみを有するタイツ）の形態であれ、ストッキング（大腿とふくらはぎとを覆う）の形態であれ、又はソックス（ふくらはぎのみを覆う）の形態であれ、全ての圧縮性補装具に等しく良好に適用される。
一方又は両方の下肢に強い圧縮を与えることを可能にすべく、それらの物品は、弾性材料、通常は細かいメッシュのニットで作られているが、このことが、一連の困難をもたらす。
第１の困難は、全ての形態の弾性ストッキング又は弾性タイツに特有のものであるが、それらが、身につけるのが困難であり、特に、足及び足首に被せる場合、身につけるのが常に特に困難な区域である足首の関節及び踵の近傍において、不適切な位置におく危険がある。
もう１つの困難は、屈曲する区域（膝、足首）が皺及び狭窄を起こしやすい部位であるということから生じ、この欠点は、最強の等級の圧縮性支持体（即ち、最も高い圧力を生成するメッシュ）にとっては特に重大である。そのような皺及び狭窄は、関節部において、非常に高い圧力であって敏感な箇所において止血器として作用するものを局部的に生じ、これにより、所期のものとは正反対の結果をもたらす。何故ならば、所期の結果とは、静脈還流を促進すべく、足首から大腿に向かって徐々に低下する圧力勾配を得ることであるからである。なお、その状態は、正しくは、（どの関節をも曲げることのない）連続的な静止立位姿勢でのみ達成される。
特に足首に注目すると、座位時においてその位置を曲げることは、血管が圧縮されることをもたらすであろう。何故ならば、足首における血管は、（膝窩の領域において関節の後面を通る、膝における血管とは異なり）横に位置させられており、不快さのみならず、不適切且つ非常に不快な局部圧搾の危険、特に敏感なその部位における浮腫の出現等をも生ずるからである。
本発明の目的は、織布材料の局部圧搾を排除することにより、それにも拘らず所期の治療効果を十分に維持する新型の圧縮性補装具を提供することにより、それらの種々の困難を解消することである。
この目的のために、圧縮性ニットからなる脚部を備えている本発明の補装具は、それが足部又は踵部を本質的に欠いており、且つ脚部の底端部が踝を押圧する弾性カフを含み且つ皮膚に面している面に滑り止め被覆を設けられていることを特徴としている。
以下に詳細に説明されているように、この物品は、幾つかのタイプの利点を提供する。
・医療的利点：足首の自然な動きによって生ずる皺における過度の圧力を排除しつつ、それにも拘らず、所期の治療効果を維持する（圧力は、足首から下肢全体に亘って徐々に減少する）；
・実用的利点：物品は、それが足部又は踵部を有していないので、身につけるのが容易である；
・工業的利点：踵部及び足部のためのまちを編む必要がないので、製造工程が、非常に簡単化され且つ加速され、これにより、製造コストにおけるかなりの節約をもたらす；及び
・最後に、皺が足首に形成されないので、快適性が、かなり改善される。
本発明の実施形態が、添付図面を参照して以下に記載される。
図１は、非常に模式的であり、２つの異なる座位位置における下肢を示している。
図２は、本発明の補装具の全体図である。
図３は、補装具の底部の拡大部分欠切図である。
図４ａ〜図４ｄは、滑り止めカフの幾つかの変形実施形態を示している。
図１において、部分ａは、踵が支えられている状態での、座位位置における下肢を表していると共に、部分ｂは、座位位置ではあるが、踵が支えられていない状態での下肢を表している。参照符号２は大腿を、参照符号４は脚（狭い意味での）を、参照符号６は足を、参照符号８は膝関節を、そして、参照符号１０は足首を、指示している。
図１ａの位置において、脚及び足は、実質的に垂直である。何故ならば、それらは、立位位置にあるからであり、これは、弾性ストッキング又は弾性タイツの設計対象となる形状に対応する。
対照的に、踵が支えられていない座位位置（図１ｂ）においては、在来のストッキング又はタイツは、皺及び狭窄を起こしやすい部位を構成する屈曲区域１２を生じ、それらの皺及び狭窄は、不快である（皺のせいで）のみならず、とりわけ、血管の過度の圧搾を生じ、それらの血管は、前述のように、膝と異なり、足首の近傍においては横に位置させられており、このため、浮腫、だるさ及び不快を招く危険がある。
図２は、本発明の物品を示している。それは、それ自体は在来のタイプの圧縮性メッシュから作られている脚部１４を有しているが、それは、足部又は踵部を設けられておらず、そして、それは、その底部において、滑り止め被覆を設けられているカフ１６内に終端しており、その被覆は、足首の踝１８、即ち骨の突出部に当接する。
解剖学的に言うと、カフ１６が押圧する区域内では、有害な血管圧搾は、起こらない。何故ならば、血管及び神経の束は、踝後部の溝に沿って通っているからであり、これにより、足首の関節の領域においては、引っ張り又は狭窄の危険が、避けられる。
滑り止めカフ１６は、脚部１４の底部が上昇する（矢印２０）のを防止し、これにより、日常活動の間、ストッキング又はタイツを所定の位置に保持する。患者は、足若しくは足首の上に普通のソックスを穿くことができ、又はストッキング若しくはタイツをレギンスとして身につけることができる。
所期の治療効果（足首から徐々に減少する圧力）は十分に維持され、もって、本発明の弾性ストッキング又は弾性タイツに向いている、治療を必要とする徴候は、圧縮支持の全ての等級において、在来の弾性ストッキング又は弾性タイツのものと同一である。
製造目的のために、脚部１４は、Ｖａｒｉｓｍａ（登録商標）の下でＩｎｎｏｔｈｅｒａ  Ｔｏｐｉｃによって作られているもののような、在来の弾性タイツにおいて使用されているものと同一のニットを用いて作られている。使用される材料は、綿及びポリアミドで覆われているエラスタン（ｅｌａｓｔｈａｎｎｅ）、ポリアミドで覆われているが綿のないエラスタン、又はエラスタンとエラスト−ジエン（合成ゴムラテックス）との混合物であってよい。
ニットは、在来のものであり、本発明は、あらゆるメッシュ構造体又はループ構造体（横編み、平編み、リブド・マイクロメッシュ、ニップト−イン・マイクロメッシュ又はフロート・スティッチ・マイクロメッシュ等）であって、それら自体は全てニット技術の当業者には知られているものに適用可能である。
図３の内面図に示されている滑り止めカフ１６は、僅かに弾性である。即ち、半径方向におけるその弾性は、脚部のそれよりも小さい。その意図は、踝の近傍においては肢を圧縮せず、単に、ストッキングがずり上がるのを防止することであり、そして、そのことが、滑り止め材料で過度に締め付けることなく、達成される。この材料は、一般的にシリコーンであり、皮膚への良好な付着をもたらし、アレルギー性ではなく、しかも良好な寿命を有する物質である。同様な特性を有している他の材料（例えばラテックス）が、使用され得る。但し、その材料は、総体的に、シリコーンよりも脆い。
滑り止め被覆は、図４ａ〜図４ｄに示されている種々の形態で作られ得る。それは、シリコーンの均一な被覆２２、縦方向のストリップ２４、ジグザグ路２６、又はスポット２８を備え得る。これらのタイプのストリップ材料は、それら自体は知られており、例えば、Ｃｈｅｙｎｅｔ  ＆  Ｆｉｌｓから照会番号Ｚ３２７（１６ｍｍ）、Ｚ３４２（１６ｍｍ）又は０．５００５（１５ｍｍ）の下で入手することができる。
最後に、工業的見地から言うと、本発明のストッキング又はタイツの製造は、踵部におけるまち及び足部のまちを最早編む必要がないので、非常に簡単化されるということが、認められよう。
ストッキングは、僅かに円錐形である筒の形態をしており、このため、非常に速く編まれ得、これにより、製造コストに関し、時間及び経費のかなりの節約をもたらす。
タイツが、足首の周りで過度にきつくなることなく、ニットの上方への引っ張りに抗することを可能にすべく、上述されている「遠方付着」の原理を組み込むために、当然、種々の変形が、本発明の範囲を逸脱することなく目論まれ得る。
従って、滑り止めカフ１６は、例えば、把持ストリップによって所望の位置に保持されるバックル又はフラップにより、患者の足首の周囲に正確に適合すべく調節され得るストリップであってもよい。
同様に、滑り止めカフ１６は、脚部１４に嵌合させられている材料のストリップによって必ずしも構成されず、それは、皮膚に面している面における滑り止め性をそれに与えるような態様で編まれている、その端部によって直接構成されてもよい。これは、例えば、裸の（覆われていない）エラスタンのような材料の粗い糸をその位置で編むことによって組み込み、その遠端部における皮膚側に粗い滑り止め感覚をタイツに与えることにより、達成され得る。
【図１】
0004105231.tif 000002
【図２】
0004105231.tif 000003
【図３】
0004105231.tif 000004
【図４】
0004105231.tif 000005